(57)【要約】【課題】本発明は火災脱出用マスクを開示した。【解決手段】マスクを含み、前記マスクの左右両側には耳と当接する耳紐が設置され、前記マスクの前端端面には柵状の通気口が設置され、前記通気口には転化箱が設置され、前記転化箱の中には前後に貫通しており且つ下に開いた転化チャンバが設置され、前記転化チャンバの中には水補給装置が設置され、前記転化チャンバの中には前記水補給装置の下端に位置したスイッチ装置が設置され、前記通気口の上端には水箱が設置され、前記水箱の中には貯水チャンバが設置され、前記貯水チャンバの底端内壁の中には左右に対称的な出水口が連通しあって設置され、前記出水口のうち対称中心から離れた側の内壁の中にはスライドレールが設置され、前記スライドレールの中には前記水補給装置に制御される止水板がスライドできるように連結されている。【選択図】図１
2020175075.tif 000002
【特許請求の範囲】
【請求項１】
マスクを含み、前記マスクの左右両側には耳と当接する耳紐が設置され、前記マスクの前端端面には柵状の通気口が設置され、前記通気口には転化箱が設置され、前記転化箱の中には前後に貫通しており且つ下に開いた転化チャンバが設置され、前記転化チャンバの中には水補給装置が設置され、前記転化チャンバの中には前記水補給装置の下端に位置したスイッチ装置が設置され、前記通気口の上端には水箱が設置され、前記水箱の中には貯水チャンバが設置され、前記貯水チャンバの底端内壁の中には左右に対称的な出水口が連通しあって設置され、前記出水口のうち対称中心から離れた側の内壁の中にはスライドレールが設置され、前記スライドレールの中には前記水補給装置に制御される止水板がスライドできるように連結され、前記止水板のうち対称中心から離れた側と、前記出水口のうち対称中心から離れた側の内壁との間には圧縮バネが設置され、前記貯水チャンバの中には前記出水口の間に位置した閉鎖装置が設置され、前記スイッチ装置のロックを解除することによって、前記水補給装置は前記出水口を開き、水を前記貯水チャンバから流出させて前記マスクを浸し、同時に前記閉鎖装置が下に移動して前記通気口を塞ぎ、煤塵を前記マスクに通さないことを特徴とする火災脱出用マスク。
【請求項２】
前記水補給装置は前記転化チャンバの左右端の内壁と回転できるように連結された駆動軸を含み、前記駆動軸には三つの羽根車が配列設置され、前記駆動軸には前記羽根車の左右端に位置した対称の入力傘歯車が設置され、前記転化チャンバの頂端内壁には左右に対称的な支持棒が設置され、前記支持棒には回転軸が回転できるように連結され、前記回転軸の前端末端には前記入力傘歯車と噛み合って連結された出力傘歯車が設置され、前記出力傘歯車の前端端面には固定ピンが設置され、前記転化チャンバの頂端内壁には左右に対称的なスライド通路が連通しあって設置され、前記スライド通路の中には連結棒がスライドできるように連結され、前記連結棒の上端には前記止水板と当接した当接板が設置され、前記連結棒の下端には前記固定ピンとスライドできるように連結された抜き溝が設置されている；前記羽根車を吹き動かして前記駆動軸を回転させ、また一連の噛合伝動によって両側の前記連結棒を反対した方向にスライド連動させ、前記出水口を開いて水を流出させることを特徴とする請求項１に記載の火災脱出用マスク。
【請求項３】
前記スイッチ装置は前記転化チャンバの内壁とスライドできるように連結されたスイッチ箱を含み、前記スイッチ箱の中には上に開いた凹み溝が設置され、前記凹み溝の左右端内壁には、前記駆動軸がスライドできるように開口溝が設置され、前記凹み溝の底端内壁の中には伝動軸が回転できるように設置され、前記伝動軸には前記スイッチ箱の下側端面外に位置したノブが設置され、前記伝動軸には前記凹み溝の中に位置した歯車が設置され、前記凹み溝の左右端内壁の中には前記歯車を中心として対称になるラックがスライドできるように連結され、前記転化箱の内壁には前記ラックと当接できるロック溝が設置されている；前記歯車を回し、噛合伝動により前記ラックを連動させて前記ロック溝の外部まで滑り出させ、この時前記スイッチ箱を下へ引き出せることを特徴とする請求項１又は請求項２に記載の火災脱出用マスク。
【請求項４】
前記閉鎖装置は前記貯水チャンバの底端内壁の中にスライドできるように連結された昇降棒を含み、前記昇降棒には前記貯水チャンバの中に位置した浮き板が設置され、前記昇降棒の下端には前記水箱の下側に位置した濾過板が設置され、前記転化箱の中には前記駆動軸の後端に位置し且つ上に開いた受取溝が設置され、前記濾過板の両端が前記受取溝の中に伸びて前記受取溝の内壁とスライドできるように連結されている；水位変化により自動的に前記浮き板を下に移動し、前記昇降棒によって前記濾過板を連動させて前記受取溝の中にスライドさせて前記転化チャンバの前後開口を閉鎖することを特徴とする請求項１に記載の火災脱出用マスク。
【発明の詳細な説明】
【技術分野】
【０００１】
本発明は生活用品技術分野に関し、具体的には火災脱出用マスクである。
【背景技術】
【０００２】
マスクは生活必要品として家々に常備されており、しかし、伝統的なマスクは防塵しかできなく、火災に遭うと、顆粒状煤塵を吸い込んで命を落としてしまう。したがって、脱出用の火災防護マスクは業界の発展とともに必然的な傾向となる。
【先行技術文献】
【特許文献】
【０００３】
【特許文献１】中国特許出願公開第１０７３１９６５２号明細書
【発明の概要】
【発明が解決しようとする課題】
【０００４】
本発明の目的は火災脱出用マスクを提供し、それは上記の現在の技術中の問題を解決できる。
【課題を解決するための手段】
【０００５】
本発明は以下の技術プランを通じて実現する：本発明の火災脱出用マスクは、マスクを含み、前記マスクの左右両側には耳と当接する耳紐が設置され、前記マスクの前端端面には柵状の通気口が設置され、前記通気口には転化箱が設置され、前記転化箱の中には前後に貫通しており且つ下に開いた転化チャンバが設置され、前記転化チャンバの中には水補給装置が設置され、前記転化チャンバの中には前記水補給装置の下端に位置したスイッチ装置が設置され、前記通気口の上端には水箱が設置され、前記水箱の中には貯水チャンバが設置され、前記貯水チャンバの底端内壁の中には左右に対称的な出水口が連通しあって設置され、前記出水口のうち対称中心から離れた側の内壁の中にはスライドレールが設置され、前記スライドレールの中には前記水補給装置に制御される止水板がスライドできるように連結され、前記止水板のうち対称中心から離れた側と、前記出水口のうち対称中心から離れた側の内壁との間には圧縮バネが設置され、前記貯水チャンバの中には前記出水口の間に位置した閉鎖装置が設置され、前記スイッチ装置のロックを解除することによって、前記水補給装置は前記出水口を開き、水を前記貯水チャンバから流出させて前記マスクを浸し、同時に前記閉鎖装置が下に移動して前記通気口を塞ぎ、煤塵を前記マスクに通さない。
【０００６】
優選的には、前記水補給装置は前記転化チャンバの左右端の内壁と回転できるように連結された駆動軸を含み、前記駆動軸には三つの羽根車が配列設置され、前記駆動軸には前記羽根車の左右端に位置した対称の入力傘歯車が設置され、前記転化チャンバの頂端内壁には左右に対称的な支持棒が設置され、前記支持棒には回転軸が回転できるように連結され、前記回転軸の前端末端には前記入力傘歯車と噛み合って連結された出力傘歯車が設置され、前記出力傘歯車の前端端面には固定ピンが設置され、前記転化チャンバの頂端内壁には左右に対称的なスライド通路が連通しあって設置され、前記スライド通路の中には連結棒がスライドできるように連結され、前記連結棒の上端には前記止水板と当接した当接板が設置され、前記連結棒の下端には前記固定ピンとスライドできるように連結された抜き溝が設置されている；前記羽根車を吹き動かして前記駆動軸を回転させ、また一連の噛合伝動によって両側の前記連結棒を反対した方向にスライド連動させ、前記出水口を開いて水を流出させる。
【０００７】
優選的には、前記スイッチ装置は前記転化チャンバの内壁とスライドできるように連結されたスイッチ箱を含み、前記スイッチ箱の中には上に開いた凹み溝が設置され、前記凹み溝の左右端内壁には、前記駆動軸がスライドできるように開口溝が設置され、前記凹み溝の底端内壁の中には伝動軸が回転できるように設置され、前記伝動軸には前記スイッチ箱の下側端面外に位置したノブが設置され、前記伝動軸には前記凹み溝の中に位置した歯車が設置され、前記凹み溝の左右端内壁の中には前記歯車を中心として対称になるラックがスライドできるように連結され、前記転化箱の内壁には前記ラックと当接できるロック溝が設置されている；前記歯車を回し、噛合伝動により前記ラックを連動させて前記ロック溝の外部まで滑り出させ、この時前記スイッチ箱を下へ引き出せる。
【０００８】
前記閉鎖装置は前記貯水チャンバの底端内壁の中にスライドできるように連結された昇降棒を含み、前記昇降棒には前記貯水チャンバの中に位置した浮き板が設置され、前記昇降棒の下端には前記水箱の下側に位置した濾過板が設置され、前記転化箱の中には前記駆動軸の後端に位置し且つ上に開いた受取溝が設置され、前記濾過板の両端が前記受取溝の中に伸びて前記受取溝の内壁とスライドできるように連結されている；水位変化により自動的に前記浮き板を下に移動し、前記昇降棒によって前記濾過板を連動させて前記受取溝の中にスライドさせて前記転化チャンバの前後開口を閉鎖する。
【発明の効果】
【０００９】
本発明の有益効果は：本発明はスイッチ箱が独立されていて火災や通常状態での二つの異なった作動方式を区別し、人体の自発的な呼吸を設備の動力源に転化し、マスクを水で満たして開口を完全に閉鎖し、使用者が顆粒状煤塵を吸い込んで死に致すことを防止し、火災時の生存率を高める。
【図面の簡単な説明】
【００１０】
【図１】図１は本発明の火災脱出用マスクの全体構成略図
【図２】図２は図１の水補給装置と閉鎖装置の構造略図
【図３】図３は図１のＡ−Ａの構成略図
【発明を実施するための形態】
【００１１】
以下に図１−３を交えて本発明について詳しく説明し、便利に叙述するため、現在は後文に出る方位を下記の通りに規定する：後文に出る上下左右前後方向は図１マスクの投影関係の上下左右前後方向と一致する。
【００１２】
本発明の火災脱出用マスクは、マスク１１を含み、前記マスク１１の左右両側には耳と当接する耳紐１２が設置され、前記マスク１１の前端端面には柵状の通気口１３が設置され、前記通気口１３には転化箱３４が設置され、前記転化箱３４の中には前後に貫通しており且つ下に開いた転化チャンバ３２が設置され、前記転化チャンバ３２の中には水補給装置９０１が設置され、前記転化チャンバ３２の中には前記水補給装置９０１の下端に位置したスイッチ装置９０２が設置され、前記通気口１３の上端には水箱１４が設置され、前記水箱１４の中には貯水チャンバ１５が設置され、前記貯水チャンバ１５の底端内壁の中には左右に対称的な出水口１６が連通しあって設置され、前記出水口１６のうち対称中心から離れた側の内壁の中にはスライドレール２１が設置され、前記スライドレール２１の中には前記水補給装置９０１に制御される止水板２０がスライドできるように連結され、前記止水板２０のうち対称中心から離れた側と、前記出水口１６のうち対称中心から離れた側の内壁との間には圧縮バネ２２が設置され、前記貯水チャンバ１５の中には前記出水口１６の間に位置した閉鎖装置９０３が設置され、前記スイッチ装置９０２のロックを解除することによって、前記水補給装置９０１は前記出水口１６を開き、水を前記貯水チャンバ１５から流出させて前記マスク１１を浸し、同時に前記閉鎖装置９０３が下に移動して前記通気口１３を塞ぎ、煤塵を前記マスク１１に通さない。
【００１３】
有益的には、前記水補給装置９０１は前記転化チャンバ３２の左右端の内壁と回転できるように連結された駆動軸３７を含み、前記駆動軸３７には三つの羽根車３９が配列設置され、前記駆動軸３７には前記羽根車３９の左右端に位置した対称の入力傘歯車３８が設置され、前記転化チャンバ３２の頂端内壁には左右に対称的な支持棒４３が設置され、前記支持棒４３には回転軸４２が回転できるように連結され、前記回転軸４２の前端末端には前記入力傘歯車３８と噛み合って連結された出力傘歯車４１が設置され、前記出力傘歯車４１の前端端面には固定ピン４４が設置され、前記転化チャンバ３２の頂端内壁には左右に対称的なスライド通路３３が連通しあって設置され、前記スライド通路３３の中には連結棒３５がスライドできるように連結され、前記連結棒３５の上端には前記止水板２０と当接した当接板１９が設置され、前記連結棒３５の下端には前記固定ピン４４とスライドできるように連結された抜き溝２３が設置されている；前記羽根車３９を吹き動かして前記駆動軸３７を回転させ、また一連の噛合伝動によって両側の前記連結棒３５を反対した方向にスライド連動させ、前記出水口１６を開いて水を流出させる。
【００１４】
有益的には、前記スイッチ装置９０２は前記転化チャンバ３２の内壁とスライドできるように連結されたスイッチ箱２９を含み、前記スイッチ箱２９の中には上に開いた凹み溝２８が設置され、前記凹み溝２８の左右端内壁には、前記駆動軸３７がスライドできるように開口溝３１が設置され、前記凹み溝２８の底端内壁の中には伝動軸２５が回転できるように設置され、前記伝動軸２５には前記スイッチ箱２９の下側端面外に位置したノブ２６が設置され、前記伝動軸２５には前記凹み溝２８の中に位置した歯車２４が設置され、前記凹み溝２８の左右端内壁の中には前記歯車２４を中心として対称になるラック２７がスライドできるように連結され、前記転化箱３４の内壁には前記ラック２７と当接できるロック溝３０が設置されている；前記歯車２４を回し、噛合伝動により前記ラック２７を連動させて前記ロック溝３０の外部まで滑り出させ、この時前記スイッチ箱２９を下へ引き出せる。
【００１５】
有益的には、前記閉鎖装置９０３は前記貯水チャンバ１５の底端内壁の中にスライドできるように連結された昇降棒１７を含み、前記昇降棒１７には前記貯水チャンバ１５の中に位置した浮き板１８が設置され、前記昇降棒１７の下端には前記水箱１４の下側に位置した濾過板３６が設置され、前記転化箱３４の中には前記駆動軸３７の後端に位置し且つ上に開いた受取溝４０が設置され、前記濾過板３６の両端が前記受取溝４０の中に伸びて前記受取溝４０の内壁とスライドできるように連結されている；水位変化により自動的に前記浮き板１８を下に移動し、前記昇降棒１７によって前記濾過板３６を連動させて前記受取溝４０の中にスライドさせて前記転化チャンバ３２の前後開口を閉鎖する。
【００１６】
初期状態の時、貯水チャンバ１５は水で満たされて上端内壁が浮き板１８と当接しており、二つの固定ピン４４が最も近接したところに位置しており、スイッチ箱２９が前記転化チャンバ３２を閉鎖してラック２７とロック溝３０との当接で装置全体を固定する。
【００１７】
火災が発生した時、ノブ２６を回し、更に伝動軸２５により歯車２４を旋転連動させ、歯車２４が噛合伝動により両側のラック２７を連動させてロック溝３０の外まで滑り出させ、この時スイッチ箱２９を下へ引き動かして転化チャンバ３２の中から出させ、インベラー３９を吹き動かし、駆動軸３７により入力傘歯車３８を回転させ、入力傘歯車３８が噛合伝動により両側の出力傘歯車４１を回転させ、出力傘歯車４１の前端の固定ピン４４が抜き溝２３の中でスライドして連結棒３５を連動させてスライド通路３３に中で左右にスライドさせ、更に当接板１９により止水板２０を押し動かしてスライドレール２１の中にスライドさせ、水を貯水チャンバ１５の中から出してマスク１１を浸し、水位が下降する時、浮力の作用によって浮き板１８を下に移動し、浮き板１８が昇降棒１７により濾過板３６を受取溝４０の中に押し、再び転化チャンバ３２の前後の開口を閉鎖し、煤塵が転化チャンバ３２を経由して人体に入ることを防止する。
【００１８】
本発明の有益効果は：本発明はスイッチ箱が独立されていて火災や通常状態での二つの異なった作動方式を区別し、人体の自発的な呼吸を設備の動力源に転化し、マスクを水で満たして開口を完全に閉鎖し、使用者が顆粒状煤塵を吸い込んで死に致すことを防止し、火災時の生存率を高める。
【００１９】
上記の方式を通して、本分野の当業者は本発明の範囲内に作動パターンにより各種な変化を行える。
【図１】
2020175075.tif 000003
【図２】
2020175075.tif 000004
【図３】
2020175075.tif 000005
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
マスクを含み、前記マスクの左右両側には耳と当接する耳紐が設置され、前記マスクの前端端面には柵状の通気口が設置され、前記通気口には転化箱が設置され、前記転化箱の中には前後に貫通しており且つ下に開いた転化チャンバが設置され、前記転化チャンバの中には水補給装置が設置され、前記転化チャンバの中には前記水補給装置の下端に位置したスイッチ装置が設置され、前記通気口の上端には水箱が設置され、前記水箱の中には貯水チャンバが設置され、前記貯水チャンバの下側内壁の中には互いに対称的な二つの出水口が左右に一つずつ連通するように設置され、前記出水口のうち対称中心から離れた側の内壁の中にはスライドレールが設置され、前記スライドレールの中には前記水補給装置に制御される止水板がスライドできるように連結され、両側の前記止水板のうち互いに遠離した端には圧縮バネが固定的に連結され、前記貯水チャンバの中には両側の前記出水口の間に位置した閉鎖装置が設置されていることを特徴とする火災脱出用マスク。
【請求項２】
前記水補給装置は前記転化チャンバの左右端の内壁と回転できるように連結された駆動軸を含み、前記駆動軸には三つの羽根車が配列設置され、前記駆動軸には前記羽根車の左右端に位置した対称の入力傘歯車が設置され、前記転化チャンバの頂端内壁には左右に対称的な支持棒が設置され、前記支持棒には回転軸が回転できるように連結され、前記回転軸の前端末端には前記入力傘歯車と噛み合って連結された出力傘歯車が設置され、前記出力傘歯車の前端端面には固定ピンが設置され、前記転化チャンバの頂端内壁には左右に対称的なスライド通路が連通しあって設置され、前記スライド通路の中には連結棒がスライドできるように連結され、前記連結棒の上端には前記止水板と当接した当接板が設置され、前記連結棒の下端には前記固定ピンとスライドできるように連結された抜き溝が設置されており、
前記羽根車を吹き動かして前記駆動軸を回転させ、また一連の噛合伝動によって両側の前記連結棒を反対した方向にスライド連動させ、前記出水口を開いて水を流出させることを特徴とする請求項１に記載の火災脱出用マスク。
【請求項３】
前記スイッチ装置は前記転化チャンバの内壁とスライドできるように連結されたスイッチ箱を含み、前記スイッチ箱の中には上に開いた凹み溝が設置され、前記凹み溝の左右端内壁には、前記駆動軸がスライドできるように開口溝が設置され、前記凹み溝の底端内壁の中には伝動軸が回転できるように設置され、前記伝動軸には前記スイッチ箱の下側端面外に位置したノブが設置され、前記伝動軸には前記凹み溝の中に位置した歯車が設置され、前記凹み溝の左右端内壁の中には前記歯車を中心として対称になるラックがスライドできるように連結され、前記転化箱の内壁には前記ラックと当接できるロック溝が設置されており、
前記歯車を回し、噛合伝動により前記ラックを連動させて前記ロック溝の外部まで滑り出させ、この時前記スイッチ箱を下へ引き出せることを特徴とする請求項１又は請求項２に記載の火災脱出用マスク。
【請求項４】
前記閉鎖装置は前記貯水チャンバの底端内壁の中にスライドできるように連結された昇降棒を含み、前記昇降棒には前記貯水チャンバの中に位置した浮き板が設置され、前記昇降棒の下端には前記水箱の下側に位置した濾過板が設置され、前記転化箱の中には前記駆動軸の後端に位置し且つ上に開いた受取溝が設置され、前記濾過板の両端が前記受取溝の中に伸びて前記受取溝の内壁とスライドできるように連結されており、
水位変化により自動的に前記浮き板を下に移動し、前記昇降棒によって前記濾過板を連動させて前記受取溝の中にスライドさせて前記転化チャンバの前後開口を閉鎖することを特徴とする請求項１に記載の火災脱出用マスク。
【手続補正２】
【補正対象書類名】明細書
【補正対象項目名】全文
【補正方法】変更
【補正の内容】
【発明の詳細な説明】
【技術分野】
【０００１】
本発明は生活用品技術分野に関し、具体的には火災脱出用マスクである。
【背景技術】
【０００２】
マスクは生活必要品として家々に常備されており、しかし、伝統的なマスクは防塵しかできなく、火災に遭うと、顆粒状煤塵を吸い込んで命を落としてしまう。したがって、脱出用の火災防護マスクは業界の発展とともに必然的な傾向となる。
【先行技術文献】
【特許文献】
【０００３】
【特許文献１】中国特許出願公開第１０７３１９６５２号明細書
【発明の概要】
【発明が解決しようとする課題】
【０００４】
本発明の目的は火災脱出用マスクを提供し、それは上記の現在の技術中の問題を解決できる。
【課題を解決するための手段】
【０００５】
本発明は以下の技術プランを通じて実現する：本発明の火災脱出用マスクは、マスクを含み、前記マスクの左右両側には耳と当接する耳紐が設置され、前記マスクの前端端面には柵状の通気口が設置され、前記通気口には転化箱が設置され、前記転化箱の中には前後に貫通しており且つ下に開いた転化チャンバが設置され、前記転化チャンバの中には水補給装置が設置され、前記転化チャンバの中には前記水補給装置の下端に位置したスイッチ装置が設置され、前記通気口の上端には水箱が設置され、前記水箱の中には貯水チャンバが設置され、前記貯水チャンバの下側内壁の中には互いに対称的な二つの出水口が左右に一つずつ連通するように設置され、前記出水口のうち対称中心から離れた側の内壁の中にはスライドレールが設置され、前記スライドレールの中には前記水補給装置に制御される止水板がスライドできるように連結され、両側の前記止水板のうち互いに遠離した端には圧縮バネが固定的に連結され、前記貯水チャンバの中には両側の前記出水口の間に位置した閉鎖装置が設置されている。
【０００６】
優選的には、前記水補給装置は前記転化チャンバの左右端の内壁と回転できるように連結された駆動軸を含み、前記駆動軸には三つの羽根車が配列設置され、前記駆動軸には前記羽根車の左右端に位置した対称の入力傘歯車が設置され、前記転化チャンバの頂端内壁には左右に対称的な支持棒が設置され、前記支持棒には回転軸が回転できるように連結され、前記回転軸の前端末端には前記入力傘歯車と噛み合って連結された出力傘歯車が設置され、前記出力傘歯車の前端端面には固定ピンが設置され、前記転化チャンバの頂端内壁には左右に対称的なスライド通路が連通しあって設置され、前記スライド通路の中には連結棒がスライドできるように連結され、前記連結棒の上端には前記止水板と当接した当接板が設置され、前記連結棒の下端には前記固定ピンとスライドできるように連結された抜き溝が設置されており、
前記羽根車を吹き動かして前記駆動軸を回転させ、また一連の噛合伝動によって両側の前記連結棒を反対した方向にスライド連動させ、前記出水口を開いて水を流出させる。
【０００７】
優選的には、前記スイッチ装置は前記転化チャンバの内壁とスライドできるように連結されたスイッチ箱を含み、前記スイッチ箱の中には上に開いた凹み溝が設置され、前記凹み溝の左右端内壁には、前記駆動軸がスライドできるように開口溝が設置され、前記凹み溝の底端内壁の中には伝動軸が回転できるように設置され、前記伝動軸には前記スイッチ箱の下側端面外に位置したノブが設置され、前記伝動軸には前記凹み溝の中に位置した歯車が設置され、前記凹み溝の左右端内壁の中には前記歯車を中心として対称になるラックがスライドできるように連結され、前記転化箱の内壁には前記ラックと当接できるロック溝が設置されており、
前記歯車を回し、噛合伝動により前記ラックを連動させて前記ロック溝の外部まで滑り出させ、この時前記スイッチ箱を下へ引き出せる。
【０００８】
前記閉鎖装置は前記貯水チャンバの底端内壁の中にスライドできるように連結された昇降棒を含み、前記昇降棒には前記貯水チャンバの中に位置した浮き板が設置され、前記昇降棒の下端には前記水箱の下側に位置した濾過板が設置され、前記転化箱の中には前記駆動軸の後端に位置し且つ上に開いた受取溝が設置され、前記濾過板の両端が前記受取溝の中に伸びて前記受取溝の内壁とスライドできるように連結されており、
水位変化により自動的に前記浮き板を下に移動し、前記昇降棒によって前記濾過板を連動させて前記受取溝の中にスライドさせて前記転化チャンバの前後開口を閉鎖する。
【発明の効果】
【０００９】
本発明の有益効果は：本発明はスイッチ箱が独立されていて火災や通常状態での二つの異なった作動方式を区別し、人体の自発的な呼吸を設備の動力源に転化し、マスクを水で満たして開口を完全に閉鎖し、使用者が顆粒状煤塵を吸い込んで死に致すことを防止し、火災時の生存率を高める。
【図面の簡単な説明】
【００１０】
【図１】図１は本発明の火災脱出用マスクの全体構成略図
【図２】図２は図１の水補給装置と閉鎖装置の構造略図
【図３】図３は図１のＡ−Ａの構成略図
【発明を実施するための形態】
【００１１】
以下に図１−３を交えて本発明について詳しく説明し、便利に叙述するため、現在は後文に出る方位を下記の通りに規定する：後文に出る上下左右前後方向は図１マスクの投影関係の上下左右前後方向と一致する。
【００１２】
本発明の火災脱出用マスクは、マスク１１を含み、前記マスク１１の左右両側には耳と当接する耳紐１２が設置され、前記マスク１１の前端端面には柵状の通気口１３が設置され、前記通気口１３には転化箱３４が設置され、前記転化箱３４の中には前後に貫通しており且つ下に開いた転化チャンバ３２が設置され、前記転化チャンバ３２の中には水補給装置９０１が設置され、前記転化チャンバ３２の中には前記水補給装置９０１の下端に位置したスイッチ装置９０２が設置され、前記通気口１３の上端には水箱１４が設置され、前記水箱１４の中には貯水チャンバ１５が設置され、前記貯水チャンバ１５の下側内壁の中には互いに対称的な二つの出水口１６が左右に一つずつ連通するように設置され、前記出水口１６のうち対称中心から離れた側の内壁の中にはスライドレール２１が設置され、前記スライドレール２１の中には前記水補給装置９０１に制御される止水板２０がスライドできるように連結され、両側の前記止水板２０のうち互いに遠離した端には圧縮バネ２２が固定的に連結され、前記貯水チャンバ１５の中には両側の前記出水口１６の間に位置した閉鎖装置９０３が設置されている。
【００１３】
有益的には、前記水補給装置９０１は前記転化チャンバ３２の左右端の内壁と回転できるように連結された駆動軸３７を含み、前記駆動軸３７には三つの羽根車３９が配列設置され、前記駆動軸３７には前記羽根車３９の左右端に位置した対称の入力傘歯車３８が設置され、前記転化チャンバ３２の頂端内壁には左右に対称的な支持棒４３が設置され、前記支持棒４３には回転軸４２が回転できるように連結され、前記回転軸４２の前端末端には前記入力傘歯車３８と噛み合って連結された出力傘歯車４１が設置され、前記出力傘歯車４１の前端端面には固定ピン４４が設置され、前記転化チャンバ３２の頂端内壁には左右に対称的なスライド通路３３が連通しあって設置され、前記スライド通路３３の中には連結棒３５がスライドできるように連結され、前記連結棒３５の上端には前記止水板２０と当接した当接板１９が設置され、前記連結棒３５の下端には前記固定ピン４４とスライドできるように連結された抜き溝２３が設置されており、
前記羽根車３９を吹き動かして前記駆動軸３７を回転させ、また一連の噛合伝動によって両側の前記連結棒３５を反対した方向にスライド連動させ、前記出水口１６を開いて水を流出させる。
【００１４】
有益的には、前記スイッチ装置９０２は前記転化チャンバ３２の内壁とスライドできるように連結されたスイッチ箱２９を含み、前記スイッチ箱２９の中には上に開いた凹み溝２８が設置され、前記凹み溝２８の左右端内壁には、前記駆動軸３７がスライドできるように開口溝３１が設置され、前記凹み溝２８の底端内壁の中には伝動軸２５が回転できるように設置され、前記伝動軸２５には前記スイッチ箱２９の下側端面外に位置したノブ２６が設置され、前記伝動軸２５には前記凹み溝２８の中に位置した歯車２４が設置され、前記凹み溝２８の左右端内壁の中には前記歯車２４を中心として対称になるラック２７がスライドできるように連結され、前記転化箱３４の内壁には前記ラック２７と当接できるロック溝３０が設置されており、
ており、
前記歯車２４を回し、噛合伝動により前記ラック２７を連動させて前記ロック溝３０の外部まで滑り出させ、この時前記スイッチ箱２９を下へ引き出せる。
【００１５】
有益的には、前記閉鎖装置９０３は前記貯水チャンバ１５の底端内壁の中にスライドできるように連結された昇降棒１７を含み、前記昇降棒１７には前記貯水チャンバ１５の中に位置した浮き板１８が設置され、前記昇降棒１７の下端には前記水箱１４の下側に位置した濾過板３６が設置され、前記転化箱３４の中には前記駆動軸３７の後端に位置し且つ上に開いた受取溝４０が設置され、前記濾過板３６の両端が前記受取溝４０の中に伸びて前記受取溝４０の内壁とスライドできるように連結されており、
水位変化により自動的に前記浮き板１８を下に移動し、前記昇降棒１７によって前記濾過板３６を連動させて前記受取溝４０の中にスライドさせて前記転化チャンバ３２の前後開口を閉鎖する。
【００１６】
初期状態の時、貯水チャンバ１５は水で満たされて上端内壁が浮き板１８と当接しており、二つの固定ピン４４が最も近接したところに位置しており、スイッチ箱２９が前記転化チャンバ３２を閉鎖してラック２７とロック溝３０との当接で装置全体を固定する。
【００１７】
火災が発生した時、ノブ２６を回し、更に伝動軸２５により歯車２４を旋転連動させ、歯車２４が噛合伝動により両側のラック２７を連動させてロック溝３０の外まで滑り出させ、この時スイッチ箱２９を下へ引き動かして転化チャンバ３２の中から出させ、インベラー３９を吹き動かし、駆動軸３７により入力傘歯車３８を回転させ、入力傘歯車３８が噛合伝動により両側の出力傘歯車４１を回転させ、出力傘歯車４１の前端の固定ピン４４が抜き溝２３の中でスライドして連結棒３５を連動させてスライド通路３３に中で左右にスライドさせ、更に当接板１９により止水板２０を押し動かしてスライドレール２１の中にスライドさせ、水を貯水チャンバ１５の中から出してマスク１１を浸し、水位が下降する時、浮力の作用によって浮き板１８を下に移動し、浮き板１８が昇降棒１７により濾過板３６を受取溝４０の中に押し、再び転化チャンバ３２の前後の開口を閉鎖し、煤塵が転化チャンバ３２を経由して人体に入ることを防止する。
【００１８】
本発明の有益効果は：本発明はスイッチ箱が独立されていて火災や通常状態での二つの異なった作動方式を区別し、人体の自発的な呼吸を設備の動力源に転化し、マスクを水で満たして開口を完全に閉鎖し、使用者が顆粒状煤塵を吸い込んで死に致すことを防止し、火災時の生存率を高める。
【００１９】
上記の方式を通して、本分野の当業者は本発明の範囲内に作動パターンにより各種な変化を行える。
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
マスクを含み、前記マスクの左右両側には耳と当接する耳紐が設置され、前記マスクの前端端面には柵状の通気口が設置され、前記通気口には転化箱が設置され、前記転化箱の中には前後に貫通しており且つ下に開いた転化チャンバが設置され、前記転化チャンバの中には水補給装置が設置され、前記転化チャンバの中には前記水補給装置の下端に位置したスイッチ装置が設置され、前記通気口の上端には水箱が設置され、前記水箱の中には貯水チャンバが設置され、前記貯水チャンバの下側内壁の中には左右対称になる二つの出水口が前記貯水チャンバと連通になるように設置され、前記出水口のうち対称中心から離れた側の内壁の中にはスライドレールが設置され、前記スライドレールの中には前記水補給装置に制御される止水板がスライドできるように連結され、両側の前記止水板のうち互いに遠離した端には圧縮バネが固定的に連結され、前記貯水チャンバの中には両側の前記出水口の間に位置した閉鎖装置が設置され、
前記水補給装置は前記転化チャンバの左右端の内壁と回転できるように連結された駆動軸を含み、前記駆動軸には三つの羽根車が配列設置され、前記駆動軸には前記羽根車の左右端に位置した対称の入力傘歯車が設置され、前記転化チャンバの頂端内壁には左右に対称的な支持棒が設置され、前記支持棒には回転軸が回転できるように連結され、前記回転軸の前端末端には前記入力傘歯車と噛み合って連結された出力傘歯車が設置され、前記出力傘歯車の前端端面には固定ピンが設置され、前記転化チャンバの頂端内壁には左右対称になるスライド通路が前記転化チャンバと連通になるように設置され、前記スライド通路の中には連結棒がスライドできるように連結され、前記連結棒の上端には前記止水板と当接した当接板が設置され、前記連結棒の下端には前記固定ピンとスライドできるように連結された抜き溝が設置されており、前記羽根車を吹き動かして前記駆動軸を回転させ、また一連の噛合伝動によって両側の前記連結棒を反対した方向にスライド連動させ、前記出水口を開いて水を流出させ、
前記スイッチ装置は前記転化チャンバの内壁とスライドできるように連結されたスイッチ箱を含み、前記スイッチ箱の中には上に開いた凹み溝が設置され、前記凹み溝の左右端内壁には、前記駆動軸がスライドできるように開口溝が設置され、前記凹み溝の底端内壁の中には伝動軸が回転できるように設置され、前記伝動軸には前記スイッチ箱の下側端面外に位置したノブが設置され、前記伝動軸には前記凹み溝の中に位置した歯車が設置され、前記凹み溝の左右端内壁の中には前記歯車を中心として対称になるラックがスライドできるように連結され、前記転化箱の内壁には前記ラックと当接できるロック溝が設置されており、前記歯車を回し、噛合伝動により前記ラックを連動させて前記ロック溝の外部まで滑り出させ、この時前記スイッチ箱を下へ引き出せ、
前記閉鎖装置は前記貯水チャンバの底端内壁の中にスライドできるように連結された昇降棒を含み、前記昇降棒には前記貯水チャンバの中に位置した浮き板が設置され、前記昇降棒の下端には前記水箱の下側に位置した濾過板が設置され、前記転化箱の中には前記駆動軸の後端に位置し且つ上に開いた受取溝が設置され、前記濾過板の両端が前記受取溝の中に伸びて前記受取溝の内壁とスライドできるように連結されており、水位変化により自動的に前記浮き板を下に移動し、前記昇降棒によって前記濾過板を連動させて前記受取溝の中にスライドさせて前記転化チャンバの前後開口を閉鎖することを特徴とする火災脱出用マスク。
【手続補正２】
【補正対象書類名】明細書
【補正対象項目名】全文
【補正方法】変更
【補正の内容】
【発明の詳細な説明】
【技術分野】
【０００１】
本発明は生活用品技術分野に関し、具体的には火災脱出用マスクである。
【背景技術】
【０００２】
マスクは生活必要品として家々に常備されており、しかし、伝統的なマスクは防塵しかできなく、火災に遭うと、顆粒状煤塵を吸い込んで命を落としてしまう。したがって、脱出用の火災防護マスクは業界の発展とともに必然的な傾向となる。
【先行技術文献】
【特許文献】
【０００３】
【特許文献１】中国特許出願公開第１０７３１９６５２号明細書
【発明の概要】
【発明が解決しようとする課題】
【０００４】
本発明の目的は火災脱出用マスクを提供し、それは上記の現在の技術中の問題を解決できる。
【課題を解決するための手段】
【０００５】
本発明は以下の技術プランを通じて実現する：本発明の火災脱出用マスクは、マスクを含み、前記マスクの左右両側には耳と当接する耳紐が設置され、前記マスクの前端端面には柵状の通気口が設置され、前記通気口には転化箱が設置され、前記転化箱の中には前後に貫通しており且つ下に開いた転化チャンバが設置され、前記転化チャンバの中には水補給装置が設置され、前記転化チャンバの中には前記水補給装置の下端に位置したスイッチ装置が設置され、前記通気口の上端には水箱が設置され、前記水箱の中には貯水チャンバが設置され、前記貯水チャンバの下側内壁の中には左右対称になる二つの出水口が前記貯水チャンバと連通になるように設置され、前記出水口のうち対称中心から離れた側の内壁の中にはスライドレールが設置され、前記スライドレールの中には前記水補給装置に制御される止水板がスライドできるように連結され、両側の前記止水板のうち互いに遠離した端には圧縮バネが固定的に連結され、前記貯水チャンバの中には両側の前記出水口の間に位置した閉鎖装置が設置されている。
【０００６】
優選的には、前記水補給装置は前記転化チャンバの左右端の内壁と回転できるように連結された駆動軸を含み、前記駆動軸には三つの羽根車が配列設置され、前記駆動軸には前記羽根車の左右端に位置した対称の入力傘歯車が設置され、前記転化チャンバの頂端内壁には左右に対称的な支持棒が設置され、前記支持棒には回転軸が回転できるように連結され、前記回転軸の前端末端には前記入力傘歯車と噛み合って連結された出力傘歯車が設置され、前記出力傘歯車の前端端面には固定ピンが設置され、前記転化チャンバの頂端内壁には左右対称になるスライド通路が前記転化チャンバと連通になるように設置され、前記スライド通路の中には連結棒がスライドできるように連結され、前記連結棒の上端には前記止水板と当接した当接板が設置され、前記連結棒の下端には前記固定ピンとスライドできるように連結された抜き溝が設置されており、
前記羽根車を吹き動かして前記駆動軸を回転させ、また一連の噛合伝動によって両側の前記連結棒を反対した方向にスライド連動させ、前記出水口を開いて水を流出させる。
【０００７】
優選的には、前記スイッチ装置は前記転化チャンバの内壁とスライドできるように連結されたスイッチ箱を含み、前記スイッチ箱の中には上に開いた凹み溝が設置され、前記凹み溝の左右端内壁には、前記駆動軸がスライドできるように開口溝が設置され、前記凹み溝の底端内壁の中には伝動軸が回転できるように設置され、前記伝動軸には前記スイッチ箱の下側端面外に位置したノブが設置され、前記伝動軸には前記凹み溝の中に位置した歯車が設置され、前記凹み溝の左右端内壁の中には前記歯車を中心として対称になるラックがスライドできるように連結され、前記転化箱の内壁には前記ラックと当接できるロック溝が設置されており、
前記歯車を回し、噛合伝動により前記ラックを連動させて前記ロック溝の外部まで滑り出させ、この時前記スイッチ箱を下へ引き出せる。
【０００８】
前記閉鎖装置は前記貯水チャンバの底端内壁の中にスライドできるように連結された昇降棒を含み、前記昇降棒には前記貯水チャンバの中に位置した浮き板が設置され、前記昇降棒の下端には前記水箱の下側に位置した濾過板が設置され、前記転化箱の中には前記駆動軸の後端に位置し且つ上に開いた受取溝が設置され、前記濾過板の両端が前記受取溝の中に伸びて前記受取溝の内壁とスライドできるように連結されており、
水位変化により自動的に前記浮き板を下に移動し、前記昇降棒によって前記濾過板を連動させて前記受取溝の中にスライドさせて前記転化チャンバの前後開口を閉鎖する。
【発明の効果】
【０００９】
本発明の有益効果は：本発明はスイッチ箱が独立されていて火災や通常状態での二つの異なった作動方式を区別し、人体の自発的な呼吸を設備の動力源に転化し、マスクを水で満たして開口を完全に閉鎖し、使用者が顆粒状煤塵を吸い込んで死に致すことを防止し、火災時の生存率を高める。
【図面の簡単な説明】
【００１０】
【図１】図１は本発明の火災脱出用マスクの全体構成略図
【図２】図２は図１の水補給装置と閉鎖装置の構造略図
【図３】図３は図１のＡ−Ａの構成略図
【発明を実施するための形態】
【００１１】
以下に図１−３を交えて本発明について詳しく説明し、便利に叙述するため、現在は後文に出る方位を下記の通りに規定する：後文に出る上下左右前後方向は図１マスクの投影関係の上下左右前後方向と一致する。
【００１２】
本発明の火災脱出用マスクは、マスク１１を含み、前記マスク１１の左右両側には耳と当接する耳紐１２が設置され、前記マスク１１の前端端面には柵状の通気口１３が設置され、前記通気口１３には転化箱３４が設置され、前記転化箱３４の中には前後に貫通しており且つ下に開いた転化チャンバ３２が設置され、前記転化チャンバ３２の中には水補給装置９０１が設置され、前記転化チャンバ３２の中には前記水補給装置９０１の下端に位置したスイッチ装置９０２が設置され、前記通気口１３の上端には水箱１４が設置され、前記水箱１４の中には貯水チャンバ１５が設置され、前記貯水チャンバ１５の下側内壁の中には左右対称になる二つの出水口１６が前記貯水チャンバ１５と連通になるように設置され、前記出水口１６のうち対称中心から離れた側の内壁の中にはスライドレール２１が設置され、前記スライドレール２１の中には前記水補給装置９０１に制御される止水板２０がスライドできるように連結され、両側の前記止水板２０のうち互いに遠離した端には圧縮バネ２２が固定的に連結され、前記貯水チャンバ１５の中には両側の前記出水口１６の間に位置した閉鎖装置９０３が設置されている。
【００１３】
有益的には、前記水補給装置９０１は前記転化チャンバ３２の左右端の内壁と回転できるように連結された駆動軸３７を含み、前記駆動軸３７には三つの羽根車３９が配列設置され、前記駆動軸３７には前記羽根車３９の左右端に位置した対称の入力傘歯車３８が設置され、前記転化チャンバ３２の頂端内壁には左右に対称的な支持棒４３が設置され、前記支持棒４３には回転軸４２が回転できるように連結され、前記回転軸４２の前端末端には前記入力傘歯車３８と噛み合って連結された出力傘歯車４１が設置され、前記出力傘歯車４１の前端端面には固定ピン４４が設置され、前記転化チャンバ３２の頂端内壁には左右対称になるスライド通路３３が前記転化チャンバ３２と連通になるように設置され、前記スライド通路３３の中には連結棒３５がスライドできるように連結され、前記連結棒３５の上端には前記止水板２０と当接した当接板１９が設置され、前記連結棒３５の下端には前記固定ピン４４とスライドできるように連結された抜き溝２３が設置されており、
前記羽根車３９を吹き動かして前記駆動軸３７を回転させ、また一連の噛合伝動によって両側の前記連結棒３５を反対した方向にスライド連動させ、前記出水口１６を開いて水を流出させる。
【００１４】
有益的には、前記スイッチ装置９０２は前記転化チャンバ３２の内壁とスライドできるように連結されたスイッチ箱２９を含み、前記スイッチ箱２９の中には上に開いた凹み溝２８が設置され、前記凹み溝２８の左右端内壁には、前記駆動軸３７がスライドできるように開口溝３１が設置され、前記凹み溝２８の底端内壁の中には伝動軸２５が回転できるように設置され、前記伝動軸２５には前記スイッチ箱２９の下側端面外に位置したノブ２６が設置され、前記伝動軸２５には前記凹み溝２８の中に位置した歯車２４が設置され、前記凹み溝２８の左右端内壁の中には前記歯車２４を中心として対称になるラック２７がスライドできるように連結され、前記転化箱３４の内壁には前記ラック２７と当接できるロック溝３０が設置されており、
ており、
前記歯車２４を回し、噛合伝動により前記ラック２７を連動させて前記ロック溝３０の外部まで滑り出させ、この時前記スイッチ箱２９を下へ引き出せる。
【００１５】
有益的には、前記閉鎖装置９０３は前記貯水チャンバ１５の底端内壁の中にスライドできるように連結された昇降棒１７を含み、前記昇降棒１７には前記貯水チャンバ１５の中に位置した浮き板１８が設置され、前記昇降棒１７の下端には前記水箱１４の下側に位置した濾過板３６が設置され、前記転化箱３４の中には前記駆動軸３７の後端に位置し且つ上に開いた受取溝４０が設置され、前記濾過板３６の両端が前記受取溝４０の中に伸びて前記受取溝４０の内壁とスライドできるように連結されており、
水位変化により自動的に前記浮き板１８を下に移動し、前記昇降棒１７によって前記濾過板３６を連動させて前記受取溝４０の中にスライドさせて前記転化チャンバ３２の前後開口を閉鎖する。
【００１６】
初期状態の時、貯水チャンバ１５は水で満たされて上端内壁が浮き板１８と当接しており、二つの固定ピン４４が最も近接したところに位置しており、スイッチ箱２９が前記転化チャンバ３２を閉鎖してラック２７とロック溝３０との当接で装置全体を固定する。
【００１７】
火災が発生した時、ノブ２６を回し、更に伝動軸２５により歯車２４を旋転連動させ、歯車２４が噛合伝動により両側のラック２７を連動させてロック溝３０の外まで滑り出させ、この時スイッチ箱２９を下へ引き動かして転化チャンバ３２の中から出させ、インベラー３９を吹き動かし、駆動軸３７により入力傘歯車３８を回転させ、入力傘歯車３８が噛合伝動により両側の出力傘歯車４１を回転させ、出力傘歯車４１の前端の固定ピン４４が抜き溝２３の中でスライドして連結棒３５を連動させてスライド通路３３に中で左右にスライドさせ、更に当接板１９により止水板２０を押し動かしてスライドレール２１の中にスライドさせ、水を貯水チャンバ１５の中から出してマスク１１を浸し、水位が下降する時、浮力の作用によって浮き板１８を下に移動し、浮き板１８が昇降棒１７により濾過板３６を受取溝４０の中に押し、再び転化チャンバ３２の前後の開口を閉鎖し、煤塵が転化チャンバ３２を経由して人体に入ることを防止する。
【００１８】
本発明の有益効果は：本発明はスイッチ箱が独立されていて火災や通常状態での二つの異なった作動方式を区別し、人体の自発的な呼吸を設備の動力源に転化し、マスクを水で満たして開口を完全に閉鎖し、使用者が顆粒状煤塵を吸い込んで死に致すことを防止し、火災時の生存率を高める。
【００１９】
上記の方式を通して、本分野の当業者は本発明の範囲内に作動パターンにより各種な変化を行える。